(57)【要約】      （修正有）【課題】惣菜用パックの上蓋に固定ボタンを設け、上から押し解除することによって２枚の透明な蓋を左右にスライドレールに添って引き離し、器本体から取り外し取り付けが容易にできるようにした蓋・器セットのパックを提供する。【解決手段】パック本体（４）の上蓋を左右２枚にして双方の蓋が横にスライドできるようにし、開閉と取り付け取り外しが容易になった。蓋の取り外し方は、蓋（１）の位置（６）を上から軽く押さえるとその傍らにあるホック状の固定ボタン（３）が外れる。同時にもう一方の手で別の蓋（２）をつかみ、双方外側にスライドすれば蓋が容易に開く。また逆の行程でパック本体に簡単に取り付けができる。空になった容器の収納時においては、洗浄したあと蓋（５−１，５−２）双方を裏返しにして、パック本体（４）の底下部へ左右からスライドレール（５）に差込むと、スリムな形なって納まる。【選択図】図１
0003123900.tif 000002
【実用新案登録請求の範囲】
【請求項１】
ポリプロピレン、ポリエチレン、スチロール樹脂等、樹脂系を素材とする食材・惣菜等の蓋付容器（パック）の２枚の蓋の上部に固定ボタンを設け、上からボタンを押し外して双方の蓋を左右にスライドレールに添って引き離し、上蓋の取り外し及び逆の行程で取り付けが容易にできることを特徴とした各々２枚の透明な蓋と器本体をセットにした食材・惣菜等の容器（パック）である。空になった容器の収納時においては、洗浄したあと蓋双方を裏返しにしてパック本体の底部下各々左右からスライドレールに差し込み、スリムな形にして納める。
【考案の詳細な説明】
【技術分野】
【０００１】  この考案は、固定ボタンを設けた左右２枚の蓋を各々スライド開閉できるようにした食材・惣菜等の器（パック）に関するものである。
【背景技術】
【０００２】  従来の容器（パック）の蓋は密着度合いが強すぎて、とくに子供や高齢者などにとっては開閉の困難なものが多い。
【考案の開示】
【考案が解決しようとする課題】
【０００３】  現在、コンビニやスーパー等で販売されている惣菜入りの容器などは、ラップで包まれているものや蓋の付いたパックが多い。これらラップ包装系の容器は開けると一度で破れてしまうほか、中味の付着によって汚れたラップそのままでは使用しがたく、また始末に困る。
一方蓋付き系のパックについては、蓋と器本体の外枠サイズが殆ど同じであるものが多く、密着度も相当に強いことから、とくに子供やお年寄りにとっては蓋の開け閉めが困難であり、また使い勝手も非常に悪いという難点を有している。
【課題を解決するための手段】
【０００４】  上記目的を達成するためにパック本体の上蓋を左右２枚にして合わせ目を作り、上部に取り付けた固定ボタンを押し外すことによって双方の蓋が横にスライドできるようにした。よって蓋の開閉と取り付け取り外しが容易になり、上記難点の解決を図ったものである。
【考案の効果】
【０００５】  多少手の力が弱っているお年寄りや、幼・保育園児クラスでも簡単に蓋の開け閉めができる。また蓋のみを容易に取り外すことによって洗浄が可能なことから常に食材の清潔さを保持できるものである。
【考案を実施するための最良の形態】
【０００６】  蓋のついたパックのように開けた蓋が暴れず、食卓の上で場所をとらないため使用時の煩わしさがない。また空になった容器は、手軽な食材パックとして器を洗浄し何度でも清潔に使用できる。収納時は蓋の高さと器本体の高さが同じであるため器底下部へ、蓋双方を裏返しにして、左右からスライドレールに差込み、スリムに納めることを可能にしたものである。
【実施例】
【０００７】  以下、添付図面に従って一実例を説明する。蓋（１）の位置（６）を上から軽く押さえるとその傍らにあるホック状の固定ボタン（３）が外れる。同時にもう一方の手で別の蓋（２）をつかみ、双方外側にスライドすれば蓋が容易に開く。また逆の行程で蓋はパック本体（４）に簡単に取り付けることができるものである。空容器の収納時は使用洗浄後、蓋（５−１，５−２）双方を裏返しにして、パック本体（４）の底下部へ左右からスライドレール（５）に差込みスリムにして納める。
【図面の簡単な説明】
【０００８】
【図１】透明なスライド型蓋付きパックの斜視図である。
【図２】斜視図のＡ−Ｂ断面図である。
【図３】斜視図のＣ−Ｄ断面図である。
【符号の説明】
【０００９】  （１）  パックの透明な蓋
（２）  パックの透明な蓋
（３）  上蓋の固定ボタン
（４）  パック本体（器）
（５）  （５−１）、（５−２）スライドレール
（６）  固定ボタン解除押さえ位置
【図１】
0003123900.tif 000003
【図２】
0003123900.tif 000004
【図３】
0003123900.tif 000005
【手続補正書】
【提出日】平成18年4月10日(2006.4.10)
【手続補正１】
【補正対象書類名】実用新案登録請求の範囲
【補正対象項目名】全文
【補正方法】変更
【補正の内容】
【実用新案登録請求の範囲】
【請求項１】
蓋付容器の左右２枚の蓋の上部合わせ目の位地に凹凸状蓋固定ボタンを設け、その合わせ目下側の蓋を上から押して蓋の固定を外し双方の蓋を左右に引き離すと蓋の取外しが容易にできる左右２枚の透明な蓋と器本体をセットにした容器であり、また空になった容器の収納時においては、洗浄後左右双方の蓋を裏返しにしてパック本体の底裏側へ各々両端からスライドレールに差し込み、スリムに納めることができるようにしたことを特徴とする蓋スライド開閉型惣菜容器。
【手続補正２】
【補正対象書類名】明細書
【補正対象項目名】全文
【補正方法】変更
【補正の内容】
【考案の詳細な説明】
【技術分野】
【０００１】この考案は、蓋固定ボタンを設けた左右２枚の蓋を各々スライド開閉できるようにした食材用惣菜等の容器に関するものである。
【背景技術】
【０００２】従来の容器の蓋は密着度合いが強すぎて、とくに子供や高齢者などにとっては開閉の困難なものが多い。
【考案の開示】
【考案が解決しようとする課題】
【０００３】現在、コンビニやスーパー等で販売されている惣菜入りの容器などは、ラップで包まれているものや蓋の付いた容器が多い。これらラップ包装系の容器は開けると一度で破れてしまうほか、中味の付着によって汚れたラップそのままでは使用しがたく、また始末に困る。一方蓋付き系の食材用惣菜等の容器については、蓋と容器本体の外枠サイズが殆ど同じであるものが多く、密着度も相当に強いことから、とくに子供やお年寄にとっては蓋の開け閉めが困難であり、また使い勝手も非常に悪いという難点を有している。
【課題を解決するための手段】
【０００４】上記目的を達成するために容器本体の蓋を左右２枚にしてその一部に合わせ目を作り、その合わせ目の一部に取り付けた蓋固定ボタンを外すことによって双方の蓋が横にスライド開閉できるようにした。よって蓋の開閉と取り付け取り外しが容易になり、上記難点の解決を図ったものである。
【考案の効果】
【０００５】多少手の力が弱っているお年寄りや、幼・保育園児クラスでも簡単に蓋の開け閉めができる。また蓋のみを容易に取り外すことによって洗浄が可能なことから常に食材の清潔さを保持できるものである。
【考案を実施するための最良の形態】
【０００６】蓋が横に取り付けてある従来の容器のように開けた蓋が暴れず、食卓の上で場所をとらないため使用時の煩わしさがない。また空になった容器は、手軽に洗浄し何度でも清潔に使用できる。収納時は蓋の高さと器本体の高さが同じであるため器底下部へ、蓋双方を裏返しにして、左右からスライドレールに差込み、スリムに納めることを可能にしたものである。
【実施例】
【０００７】以下、添付図面に従って一実例を説明する。蓋（１）の固定ボタン解除押さえ位地（６）を上から軽く押すとその傍らにあるホック状の固定ボタン（３）が外れる。同時にもう一方の手で別の蓋（２）をつかみ、双方外側にスライドすれば蓋が容易に開く。また逆の行程で蓋は容器本体（４）に取り付けることができるものである。空容器の収納時は使用洗浄後、蓋（１）（２）双方を裏返しにして容器本体（４）の底下部へ左右からスライドレール（５）に差込み装着する。
【図面の簡単な説明】
【０００８】
【図１】蓋の透明な蓋スライド開閉型惣菜容器の斜視図である。
【図２】斜視図のＡ−Ｂ断面図である。
【図３】斜視図のＣ−Ｄ断面図である。
【符号の説明】
【０００９】        （１）容器の透明な蓋
（２）容器の透明な蓋
（３）蓋固定ボタン
（４）容器本体
（５）スライドレール
（６）蓋固定ボタン解除押さえ位置
（７）蓋の合わせ目
【手続補正３】
【補正対象書類名】図面
【補正対象項目名】全図
【補正方法】変更
【補正の内容】
【図１】
0003123900.tif 000006
【図２】
0003123900.tif 000007
【図３】
0003123900.tif 000008